【手続補正書】
【提出日】平成18年8月31日(2006.8.31)
【手続補正１】
【補正対象書類名】明細書
【補正対象項目名】０００９
【補正方法】変更
【補正の内容】
【０００９】
さらに、上記のバルブのいずれも、マイクロバルブを流れる流体フローの効果を最小化する、フロー−力および／または圧力−力の補償を提供しない。
【特許文献１】日本特許公告昭４９−０３９２２３号１９７４年１２月
【特許文献２】特許公告昭４９−０３９２２４号１９７４年１２月
【特許文献３】日本特許公告昭４９−０４８２６４号１９７４年１０月
【特許文献４】日本特許公告昭４９−０４８２６５号１９７４年１０月
【特許文献５】日本特許公開平０６ー５６０１４号１９９４年３月
【特許文献６】日本特許公開平０６−２８６６００号１９９４年１０月
【特許文献７】日本特許公告昭５９−２１７５号１９８４年１月
【特許文献８】日本特許公告昭５９−２１７５号１９８４年１月
【特許文献９】米国特許第３７４７６２８ 号  １９７３年７月
【特許文献１０】米国特許第３８６０９４９ 号  １９７５年１月
【特許文献１１】米国特許第４００５４５４ 号  １９７７年１月
【特許文献１２】米国特許第４０１９３８８ 号  １９７７年４月
【特許文献１３】米国特許第４０２３７２５ 号  １９７７年５月
【特許文献１４】米国特許第４１５２５４０ 号  １９７９年５月
【特許文献１５】米国特許第４１８１２４９ 号  １９８０年１月
【特許文献１６】米国特許第４２９８０２３ 号  １９８１年１１月
【特許文献１７】米国特許第４３４１８１６ 号  １９８２年７月
【特許文献１８】米国特許第４４３４８１３ 号  １９８４年３月
【特許文献１９】米国特許第４５８１６２４ 号  １９８６年４月
【特許文献２０】米国特許第４６２８５７６ 号  １９８６年１２月
【特許文献２１】米国特許第４６４７０１３ 号  １９８７年３月
【特許文献２２】米国特許第４６６１８３５ 号  １９８７年４月
【特許文献２３】米国特許第４７７２９３５ 号  １９８８年９月
【特許文献２４】米国特許第４８２１９９７ 号  １９８９年４月
【特許文献２５】米国特許第４８２４０７３ 号  １９８９年４月
【特許文献２６】米国特許第４８２６１３１ 号  １９８９年５月
【特許文献２７】米国特許第４８２８１８４ 号  １９８９年５月
【特許文献２８】米国特許第４８６９２８２ 号  １９８９年９月
【特許文献２９】米国特許第４９３８７４２ 号  １９９０年７月
【特許文献３０】米国特許第４９４３０３２ 号  １９９０年７月
【特許文献３１】米国特許第４９５９５８１ 号  １９９０年９月
【特許文献３２】米国特許第４９６６６４６ 号  １９９０年１０月
【特許文献３３】米国特許第５０２９８０５ 号  １９９１年７月
【特許文献３４】米国特許第５０３７７７８ 号  １９９１年８月
【特許文献３５】米国特許第５０５０８３８ 号  １９９１年９月
【特許文献３６】米国特許第５０５４５２２ 号  １９９１年１０月
【特許文献３７】米国特許第５０５８８５６ 号  １９９１年１０月
【特許文献３８】米国特許第５０６１９１４ 号  １９９１年１０月
【特許文献３９】米国特許第５０６４１６５ 号  １９９１年１１月
【特許文献４０】米国特許第５０６５９７８ 号  １９９１年１１月
【特許文献４１】米国特許第５０６６５３３ 号  １９９１年１１月
【特許文献４２】米国特許第５０６９４１９ 号  １９９１年１２月
【特許文献４３】米国特許第５０７４６２９ 号  １９９１年１２月
【特許文献４４】米国特許第５０８２２４２ 号  １９９２年１月
【特許文献４５】米国特許第５０９６６４３ 号  １９９２年３月
【特許文献４６】米国特許第５１１６４５７ 号  １９９２年５月
【特許文献４７】米国特許第５１３１７２９ 号  １９９２年７月
【特許文献４８】米国特許第５１３３３７９ 号  １９９２年７月
【特許文献４９】米国特許第５１４２７８１ 号  １９９２年９月
【特許文献５０】米国特許第５１６１７７４ 号  １９９２年１１月
【特許文献５１】米国特許第５１６９４７２ 号  １９９２年１２月
【特許文献５２】米国特許第５１７６３５８ 号  １９９３年１月
【特許文献５３】米国特許第５１７７５７９ 号  １９９３年１月
【特許文献５４】米国特許第５１７８１９０ 号  １９９３年１月
【特許文献５５】米国特許第５１７９４９９ 号  １９９３年１月
【特許文献５６】米国特許第５１８０６２３ 号  １９９３年１月
【特許文献５７】米国特許第５１９７５１７ 号  １９９３年３月
【特許文献５８】米国特許第５２０９１１８ 号  １９９３年５月
【特許文献５９】米国特許第５２１５２４４ 号  １９９３年６月
【特許文献６０】米国特許第５２１６２７３ 号  １９９３年６月
【特許文献６１】米国特許第５２１７２８３ 号  １９９３年６月
【特許文献６２】米国特許第５２３８２２３ 号  １９９３年８月
【特許文献６３】米国特許第５２４４５３７ 号  １９９３年９月
【特許文献６４】米国特許第５２６７５８９ 号  １９９３年１２月
【特許文献６５】米国特許第５２７１４３１ 号  １９９３年１２月
【特許文献６６】米国特許第５２７１５９７ 号  １９９３年１２月
【特許文献６７】米国特許第５３０９９４３ 号  １９９４年５月
【特許文献６８】米国特許第５３２５８８０ 号  １９９４年７月
【特許文献６９】米国特許第５３３３８３１ 号  １９９４年８月
【特許文献７０】米国特許第５３３６０６２ 号  １９９４年８月
【特許文献７１】米国特許第５３５５７１２ 号  １９９４年１０月
【特許文献７２】米国特許第５３６８７０４ 号  １９９４年１１月
【特許文献７３】米国特許第５４００８２４ 号  １９９５年３月
【特許文献７４】米国特許第５４１７２３５ 号  １９９５年５月
【特許文献７５】米国特許第５４４５１８５ 号  １９９５年８月
【特許文献７６】米国特許第５５５３７９０ 号  １９９６年９月
【特許文献７７】米国特許第５５５６７０３ 号  １９９６年９月
【特許文献７８】米国特許第５５７７５３３ 号  １９９６年１１月
【特許文献７９】米国特許第５７８５２９５ 号  １９９８年７月
【特許文献８０】米国特許第５８１０３２５ 号  １９９８年９月
【特許文献８１】米国特許第５８３８３５１ 号  １９９８年１１月
【特許文献８２】米国特許第５８４８６０５ 号  １９９８年１２月
【特許文献８３】米国特許第５８７３３８５ 号  １９９９年２月
【特許文献８４】米国特許第５９０９０７８ 号  １９９９年６月
【特許文献８５】米国特許第５９２６９５５ 号  １９９９年７月
【特許文献８６】米国特許第５９４１６０８ 号  １９９９年８月
【特許文献８７】米国特許第６０１９４３７ 号  ２０００年２月
【特許文献８８】米国特許第６１０５７３７ 号  ２０００年８月
【特許文献８９】米国特許第６５２３５６０ 号  ２００３年２月
【特許文献９０】ドイツ特許第２２１５５２６  号  １９７３年１０月
【特許文献９１】ドイツ特許第２９３０７７９  号  １９８０年２月
【特許文献９２】ドイツ特許第４１０１５７５  号  １９９２年７月
【特許文献９３】ドイツ特許第４４１７２５１  号  １９９５年１１月
【特許文献９４】ドイツ特許第４４２２９４２  号  １９９６年１月
【特許文献９５】欧州特許第０２５０９４８  号  １９８８年１月
【特許文献９６】欧州特許第０２６１９７２  号  １９８８年３月
【特許文献９７】英国特許第２２３８２６７  号  １９９１年５月
【特許文献９８】国際特許第９９１６０９６  号  １９９９年４月
【非特許文献１】Qi, J. and Johnson, W. et al. (Apr. 6-9, 1999) "Flip Chip on Laminate Manufacturability," 1999 International Conference on High Density Packaging and MCMs. Proc. SPEI--Int. Soc. Opt. Eng. (USA), Denver, CO., pp. 345-352. .
【非特許文献２】Search Report (Mar. 15, 2000) PCT/US 99/19971. .
【非特許文献３】Williams, K. R. et al. (Jun. 7-10, 1999). "A Silicon Microvalve for the Proportional Control of Fluids," Transducers '99 Sendai, Japan., pp. 1804-1807. .
【非特許文献４】Yunkin, V.A., et al. (1994). "Highly Anisotropic Selective Reactive Ion Etching of Deep Trenches in Silicon," Microelectronic Engineering 23:373-376. .
【非特許文献５】Bartha, J.W., et al., (1995). "Low Temperature Etching of Si in High Density Plasma Using SF.sub.6 /O.sub.2," Microelectronic Engineering, 27:453-456. .
【非特許文献６】Carpenter Technology Corporation Technical Data sheet for "Carpenter Low Expansion ;42", date Nov. 1980 <http://www.carpenter.idesinc.com/datasheet. asp?e=181&u=eVIEW=PRINTER> (visited on Mar. 28, 2002). .
【非特許文献７】Delphi Automotive Systems product brochure (1997). Variable Bleed Solenoid (VBS) for Transmission, copyright 1997. .
【非特許文献８】Delphi Automotive Systems product brochure (1998). On/Off Transmission Solenoids, copyright 1998. .
【非特許文献９】Duffy, James E. (1994). "Automatic Transmission Fundamentals," Modern Automotive Technology, copyright 1994, p. 707. .
【非特許文献１０】Fung, C.D., et al. (Nov. 7-8, 1984). "Deep Etching of Silicon Using Plasma," Proceedings of the Workshop on Micromachining and Micropackaging of Transducers, pp. 159-164. .
【非特許文献１１】Houston, P. N. et al. (Jun. 1-4, 1999). "Low Cost Flip Chip Processing and Reliability of Fast-Flow, Snap-Cure Underfills," 1999 Electronic Components and Technology Conference. San Diego, CA, pp. 61-70. .
【非特許文献１２】Jonsmann, J. et al. (Jan. 17-21, 1999). "Compliant Electro-thermal Microactuator" Twelfth IEEE International Conference on Micro Electro Mechanical Systems Orlando, Florida, IEEE Technical Digest entitled IEEE Catalog No.: 99CH36291C pp. 588-593. .
【非特許文献１３】Klaasen, E.H. et al.(1995). "Silicon Fusion Bonding and Deep Reactive Ion Etching; A New Technology for Microstructures," Proc. Tranducers 95 Stockholm Sweden pp. 556-559. .
【非特許文献１４】Konarski, Mark M. (May 31 to Jun. 4, 1998). "Cure Parameter Effects on the Tg and CTE of Flip Encapsulants," 43rd International SAMPE Symposium and Exhibition. Materials and Process Affordability. Keys to the Future. Anaheim, CA, vol. 1 pp. 823-832. .
【非特許文献１５】Linder, C. et al. (Jun. 1991). "Deep Dry Etching Techniques as a new IC Compatible Tool for Silicon Micromachining," Proceedings, Transducers '91 pp. 524-527. .
【非特許文献１６】Madou, Marc (1997). "Scaling Laws, Actuators, and Power in Miniaturization," Chapter 9 In Fundamentals of Microfabrication CRC Press LLC: Boca Raton, FL., pp. 405-446. .
【非特許文献１７】Noworolski, J.M. et al., (1996) "Process for in plane-and out-of-plane single crystal-silicon thermal conductors" Sensors and Actuators 55(1):65-69. .
【非特許文献１８】Ohio State Univesity Chemistry Department brochure page on Marc J. Madou [online]. Ohio State University [retrieved on Dec. 31, 2000]. Retrieved from Internet: <URL: http://www.chemistry.ohio-state.edu/resource/pubs/brochure/madou.htm>. .
【非特許文献１９】Petersen, K.E. et al.(Jun. 1991). "Surface Micromachined Structures Fabricated with Silicon Fusion Bonding," Proceedings, Transducers '91 pp. 397-399. .
【非特許文献２０】Author Unknown. (Sep./Oct. 1999). "HiTecMetal Group Develops Niche Market for Brazed Laminated Assemblies," Fluid Power Journal 27. .
【非特許文献２１】Ayon, A.A. et al. (Jun. 1998). "Etching Characteristics and Profile Control in a Time-Multiplexed ICP Etcher," Proc. of Solid State Sensor and Actuator Workshop Hilton Head SC pp. 41-44. .
【非特許文献２２】Eaton Corporation. "Products: Powertrain," located at <http://www.autocontrols.eaton.com/powertrain_body.html> visited on Sep. 1, 1999. (2 pages)..